(57)【要約】      （修正有）【課題】気象条件による放送内容のバラツキのデータを確保できる市町村防災無線システムを提供する。【解決手段】通信衛星および標準周波数局からの信号はアンテナ１を介して受信部２、そして、前記信号をＡ／Ｄ変換するモデム３へと入力される。前記標準周波数局による動作確認用の信号は、前記モデム３を介して電波時計部４により時刻要素５が抽出されて制御部１０へ送られ、器楽６も前記制御部１０により混合されて、モデム１１により再びＡ／Ｄ変換されて送信部１２より子局へ送られ、同時に増幅部１３を介して庁内拡声器１４により庁舎内に放送される。また、前記通信衛星による有事の信号は、前記モデム３を介してデータ処理部７によりＪ−ＡＬＥＲＴ情報８が抽出されて制御部１０へ送られ、警報９も前記制御部１０により混合されて、増幅部１３を介して庁内拡声器１４により庁舎内に放送され、同時にモデム１１により再びＡ／Ｄ変換されて送信部１２より子局へ送信される。【選択図】図１
0003167638.tif 000002
【実用新案登録請求の範囲】
【請求項１】
市町村防災無線システムにおいて、動作確認用の定時の試験放送を行うために親局には、標準周波数局からの電波信号を受信する受信部と、受信した電波信号による電波時計の時刻要素および器楽を選択する制御部と、前記制御部により選択された時刻要素の日付情報および器楽のチャイムを送信する送信部を、また、子局には、前記日付情報およびチャイムを受信する受信器と、受信した信号が動作確認用と判別する制御器と、前記制御器により判別された信号を増幅する増幅器と、増幅された信号を拡声器によりチャイムに続き日付情報を広域に放送することを特徴とする市町村防災無線システム。
【考案の詳細な説明】
【技術分野】
【０００１】
本考案は、市町村防災無線システムにおける親局と子局との動作確認用の定時の試験放送に関するものである。
【背景技術】
【０００２】
大規模な自然災害や他国によるミサイル攻撃等の緊急事態が発生した場合など、幾多の生活情報を広域に放送する市町村防災無線システムが各市町村に多く採用されるようになりました。
【０００３】
そして、前記市町村防災無線システムは市町村庁舎内に設置された親局からの緊急事態情報や動作確認用の定時の器楽を送信し、これを受信した子局の屋外に設置された拡声装置により、その地域の住民に対し放送を行っている。
【０００４】
【特許文献１】特開２００９−９４６８９号公報
【特許文献２】特開２００２−１８９４８５号公報
【特許文献３】特開平９−２０５４０５号公報これまで以上の特許文献があるが、何れの市町村防災無線システムにおいても動作確認用の定時の電波時計による日付情報を放送するものはなかった。
【考案の開示】
【考案が解決しようとする課題】
【０００５】
屋外拡声装置の動作確認用の定時の器楽による放送は、可聴周波数範囲でも高周波数域が多いため聞こえ易いが、緊急時のＪ−ＡＬＥＲＴ情報は人の声すなわち音声のため可聴周波数範囲の低周波から高周波までと広くなり、風向、気温、雨などの気象条件の変化により放送内容が聞こえにくい場合があった。
【０００６】
また、モニタを配置しての気象条件による放送のバラツキのデータを把握しても、動作確認用が器楽でありＪ−ＡＬＥＲＴ情報は音声のため、前記データを収集しても可聴周波数の範囲の相違から、実際に災害が生じた有事の緊急放送の内容について保証されるものでなかった。
【０００７】
また、器楽の変化しない連日のワンパターンの放送ため、屋外拡声装置付近では騒音問題にもなっていた。
【課題を解決するための手段】
【０００８】
本考案は、気象条件による放送内容のバラツキのデータを確保するために、Ｊ−ＡＬＥＲＴ情報に使用される音声の周波数に類似する音声の周波数で、動作確認用のチャイムに続いて日付情報を放送するものである。
【０００９】
また、器楽の変化しない連日のワンパターンの放送による騒音問題を、日ごとに変化する日付情報の放送により減少させることが出来るものとなる。
【考案の効果】
【００１０】
本考案は、上記のような構成をしているので次に記載されるような効果がある。
先ず、定時に音声による放送することにより気象条件の変化によるバラツキのデータが確保でき、実際に災害が生じた場合の気象条件に応じた緊急放送の音量や回数を増やすなどいち早く対応出来るものとなる。
【００１１】
また、動作確認用の定時の器楽によるワンパターンの放送、特に朝方における騒音問題を日毎に変化する日付情報を放送することにより、日付および曜日が確認できて試験放送による煩わしさは軽減できるものとなる。
【考案を実施するための最良の形態】
【００１２】
本考案の実施例を図面に基づき説明する。
【実施例】
【００１３】
図１は、親局のブロック図を示すもので通信衛星および標準周波数局からの信号はアンテナ１を介して受信部２、そして、前記信号をA／D変換するモデム３へと入力される。
【００１４】
前記標準周波数局による動作確認用の信号は、前記モデム３を介して電波時計部４により時刻要素５が抽出されて制御部１０へ送られ、器楽６も前記制御部１０により混合されて、モデム１１により再びA／D変換されて送信部１２より子局へ送られ、同時に増幅部１３を介して庁内拡声器１４により庁舎内に放送される。
【００１５】
また、前記通信衛星による有事の信号は、前記モデム３を介してデータ処理部７によりＪ−ＡＬＥＲＴ情報８が抽出されて制御部１０へ送られ、警報９も前記制御部１０により混合されて、増幅部１３を介して庁内拡声器１４により庁舎内に放送され、同時にモデム１１により再びA／D変換されて送信部１２より子局へ送信される。
【００１６】
図２は、子局のブロック図を示すもので親局からの双方の信号はアンテナ１５を介して受信器１６、そして、前記信号をA／D変換するモデム１７へと入力される。
【００１７】
前記モデム１７を介して、動作確認用の信号「チャイム十日付情報」１８は制御器２０へ送られ、前記制御器２０により定時に増幅器２１を介して屋外拡声器２２により広域に試験放送されるものである。
【００１８】
前記信号１８の例として、「ピンポンパ〜ン・・・今日は４月１日、金曜日です・・・ピンポンパ〜ン」のようなチャイムと音声を放送するものである。
【００１９】
また、前記モデム１７を介して緊急の信号は、有事の際の「サイレン十Ｊ−ＡＬＥＲＴ情報」１９が制御器２０へ送られ、前記制御器２０により動作確認用の信号を制止して増幅器２１を介して屋外拡声器２２により広域に緊急放送されるものである。
【００２０】
前記信号１９の例として、「ウ〜ウ〜ウ〜・・ただいま震度５以上の地震が予知されました・・ウ〜ウ〜ウ〜」のようなサイレンと音声を放送するものである。
【００２１】
図３は、子局の立面を示すものでアンテナ１５、制御器２０、屋外拡声器２２および支柱２３である。
【産業上の利用可能性】
【００２２】
動作確認用の定時の試験放送を日毎に変化する日付情報を放送することにより、日付および曜日が確認でき放送の煩わしさによる騒音問題は軽減されて、気象条件の変化による音声のバラツキのデータの確保により、有事の際の気象条件に応じた緊急放送の音量や回数を増やすなどいち早く対応出来るものとなる。
【図面の簡単な説明】
【００２３】
【図１】市町村防災無線システムの親局のブロックを示す図である。
【図２】市町村防災無線システムの子局のブロックを示す図である。
【図３】市町村防災無線システムの子局の立面を示す図である。
【符号の説明】
【００２４】
１      アンテナ
２      受信部
３      モデム
４      電波時計部
５      時刻要素
６      器楽
７      データ処理部
８      Ｊ−ＡＬＥＲＴ情報
９      警報
１０    制御部
１１    モデム
１２    送信部
１３    増幅部
１４    庁内拡声器
１５    アンテナ
１６    受信器
１７    モデム
１８    チャイム＋日付情報
１９    サイレン＋Ｊ−ＡＬＥＲＴ情報
２０    制御器
２１    増幅器
２２    屋外拡声器
２３    支柱
【図１】
0003167638.tif 000003
【図２】
0003167638.tif 000004
【図３】
0003167638.tif 000005